(57)【要約】【課題】液付着体とかきとり部との間の密着性を良くし液付着体に付着した液を効率良くかきとることができる、また、再生処理の回数を合理化し再生効率を改善させることのできる廃液再生装置を提供する。【解決手段】押圧手段６を用いてかきとり部５を液付着体４で挟み込むように密着させ、かきとり部５には液受け部１６を備えることによって液付着体４を流れ落ちる液を受け止める構成とし、かきとり部５に軸孔１５を備えることによって回転軸７を貫通させてかきとり部５がずれないように支持する構成とし、回収タンク９には濃度検知手段２３を備えることによって回収液１２の洗剤濃度を検知できる構成とした。【選択図】図１
2009219973.tif 000002
【特許請求の範囲】
【請求項１】
層分離した廃液を付着させる複数の液付着体と、前記液付着体を回転させる回転軸と、前記回転軸を回転させる回転手段と、前記液付着体に付着した液体をかきとるかきとり部とを備えた廃液再生装置であって、前記かきとり部を前記液付着体の間に配置し、前記液付着体を前記かきとり部に密着させながらかきとるようにしたことを特徴とする廃液再生装置。
【請求項２】
液付着体を前記かきとり部に押圧する押圧手段を備えたことを特徴とする請求項１に記載の廃液再生装置。
【請求項３】
かきとり部は、前記回転軸に近い一端を他端より高く配置したことを特徴とする請求項１または２に記載の廃液再生装置。
【請求項４】
かきとり部を前記液付着体に対して傾斜角度を持つように配置したことを特徴とする請求項１〜３のいずれかに記載の廃液再生装置。
【請求項５】
かきとり部に前記回転軸が貫通する軸孔を備えたことを特徴とする請求項１〜４のいずれかに記載の廃液再生装置。
【請求項６】
軸孔上部に前記付着体から流れ落ちる液体を受け止める液受け部を備えたことを特徴とする請求項１〜５のいずれかに記載の廃液再生装置。
【請求項７】
液付着体に前記液受け部を陥入する陥入部を備えたことを特徴とする請求項１〜６のいずれかに記載の廃液再生装置。
【請求項８】
液付着体がポリアミド系樹脂、ポリエチレンテレフタレート樹脂、ポリカーボネート樹脂のいずれかで構成されていることを特徴とする請求項１〜７のいずれかに記載の廃液再生装置。
【請求項９】
かきとり部がポリカーボネート樹脂・ＡＢＳ樹脂・ポリプロピレン樹脂のいずれかで構成されていることを特徴とする請求項１〜８のいずれかに記載の廃液再生装置。
【請求項１０】
液付着体に前記回転軸を貫通する貫通孔を備えたことを特徴とする請求項１〜９のいずれかに記載の廃液再生装置。
【請求項１１】
貫通孔が多角形を形成し、前記回転軸の切断面が前記貫通孔と相似形をしていることを特徴とする請求項１〜１０のいずれかに記載の廃液再生装置。
【請求項１２】
かきとった液体が流れる溝をかきとり部に備えたことを特徴とする請求項３〜１１のいずれかに記載の廃液再生装置。
【請求項１３】
回転手段に変速手段を備えたことを特徴とする請求項１〜１２のいずれかに記載の廃液再生装置。
【請求項１４】
かきとった洗浄液を回収する回収タンクと、前記回収タンク内に濃度検知手段を備えた請求項１〜１３のいずれかに記載の廃液再生装置。
【請求項１５】
貯留槽内にかきとった洗浄液に含まれる固形物を除去する固形物除去手段を備えたことを特徴とする請求項１〜１４のいずれかに記載の廃液再生装置。
【発明の詳細な説明】
【技術分野】
【０００１】
本発明は、油汚れを洗浄した洗浄排水を再生し洗浄液として再利用するための廃液再生装置に関するものである。
【背景技術】
【０００２】
従来、この種の再生装置として鉛直方向に回転する回転盤を利用して水面に浮上する油を回収し不純物である油を除去することによって２液の混ざり合った混合液を混合していない水と油に分離して再生する装置が用いられていた。水に混入した油は重力差によって水と分離し、水面上に浮上し油層となる。水面に浮上した油層を分離し洗浄水を再生する再生装置としてオイルスキマーが発明されている（例えば特許文献１参照）。
【０００３】
以下、そのようなオイルスキマーについて図７を参照しながら説明する。図７（Ａ）の横面図に示すように、オイルスキマー１０１には洗浄廃液１０２を貯留する貯留槽１０３に取り付けられ、貯留槽１０３内の水面に浮上した油層１０４に接触するように回転盤１０５が配置されている。また、図７（Ｂ）の上面図に示すように、回転盤１０５は回転軸１０６を介して回転モーター１０７に接続されており、また、回転盤１０５に接するようにスクレーパー１０８が配置されており、スクレーパー１０８は油回収ボックス１０９に接続されている。
【０００４】
上記構成において、貯留槽１０３内の洗浄廃液１０２中の油成分は重力差によって浮上し、油層１０４を形成する。回転盤１０５を回転させることによって油層１０４の油成分が回転盤１０５に付着し、付着した油成分が洗浄廃液１０２の水面から引き上げられる。回転盤１０５に付着した油成分はスクレーパー１０８によって回転盤１０５からかきとられ、かきとられた油成分は重力によって油回収ボックス１０９に流下する。このように水と油のごとく簡単に層分離する２液の混合廃液を再生する場合、層分離した片方の液を付着させかきとることによって分離する装置を用いて簡単に２液を分離再生することができる。
【特許文献１】特開平６−３３５６７３号公報
【発明の開示】
【発明が解決しようとする課題】
【０００５】
しかしながら、このような従来の方法では液付着体とかきとり部の間の密着度が弱いため、効率良く液付着体に付着した液をかきとることができず、かきとり部によるかきとり効率を改善させるという課題があった。また、従来の方法では洗浄液を廃棄する時期が分からないために、再生する必要のない洗浄液まで無駄に再生処理を行っており、再生処理の回数を合理化し効率を改善させるという課題があった。
【０００６】
本発明は、このような従来の課題を解決するものであり、液付着体とかきとり部の間の密着性を良くし、液付着体に付着した液を効率良くかきとることができる廃液再生装置を提供することを目的としている。また、再生処理の回数を合理化し再生効率を改善させることができる廃液再生装置を提供することを目的としている。
【課題を解決するための手段】
【０００７】
本発明の廃液再生装置は上記目的を達成するために、層分離した廃液を付着させる複数の液付着体と、前記液付着体を回転させる回転軸と、前記回転軸を回転させる回転手段と、前記液付着体に付着した液体をかきとるかきとり部とを備えた廃液再生装置であって、前記かきとり部を前記液付着体の間に配置し、前記液付着体を前記かきとり部に密着させながらかきとるようにしたことを特徴とする廃液再生装置としたものである。
【０００８】
これにより、液付着体とかきとり部の密着性を良くすることができるようになり、かきとり効率の高い廃液再生装置を提供することができるようになる。
【０００９】
また他の手段は、液付着体を前記かきとり部に押圧する押圧手段を備えたことを特徴とする請求項１に記載の廃液再生装置としたものである。
【００１０】
これにより、液付着体とかきとり部の密着性を常に良くすることができるようになり、かきとり効率の高い廃液再生装置を提供することができるようになる。
【００１１】
また他の手段は、かきとり部は、前記回転軸に近い一端を他端より高く配置したことを特徴とする請求項１または２に記載の廃液再生装置としたものである。
【００１２】
これにより、かきとった液を効率よく排出することができるようになり、かきとり効率の高い廃液再生装置を提供することができるようになる。
【００１３】
また他の手段は、かきとり部を前記液付着体に対して傾斜角度を持つように配置したことを特徴とする請求項１〜３のいずれかに記載の廃液再生装置としたものである。
【００１４】
これにより、かきとった液を効率よく排出することができるようになり、かきとり効率の高い廃液再生装置を提供することができるようになる。
【００１５】
また他の手段は、かきとり部に前記回転軸が貫通する軸孔を備えたことを特徴とする請求項１〜４のいずれかに記載の廃液再生装置としたものである。
【００１６】
これにより、液付着体とかきとり部の密着性を良くすることができるようになり、かきとり効率の高い廃液再生装置を提供することができるようになる。
【００１７】
また他の手段は、軸孔上部に前記付着体から流れ落ちる液体を受け止める液受け部を備えたことを特徴とする請求項１〜５のいずれかに記載の廃液再生装置としたものである。
【００１８】
これにより、付着した液が流れ落ちてしまいかきとることのできなかった液をかきとることができるようになり、かきとり効率の高い廃液再生装置を提供することができるようになる。
【００１９】
また他の手段は、液付着体に前記液受け部を陥入する陥入部を備えたことを特徴とする請求項１〜６のいずれかに記載の廃液再生装置としたものである。
【００２０】
これにより、かきとり部が擦り減っても液付着体との密着性を維持することができるようになり、かきとり効率の高い廃液再生装置を提供することができるようになる。
【００２１】
また他の手段は、液付着体がポリアミド系樹脂、ポリエチレンテレフタレート樹脂、ポリカーボネート樹脂のいずれかで構成されていることを特徴とする請求項１〜７のいずれかに記載の廃液再生装置としたものである。
【００２２】
これにより、層分離した液を効率良く液付着体に付着させることができるようになり、かきとり効率の高い廃液再生装置を提供することができるようになる。
【００２３】
また他の手段は、かきとり部がポリカーボネート樹脂・ＡＢＳ樹脂・ポリプロピレン樹脂のいずれかで構成されていることを特徴とする請求項１〜８のいずれかに記載の廃液再生装置としたものである。
【００２４】
これにより、液付着体に付着した液を効率よくかきとり部でかきとることができるようになり、かきとり効率の高い廃液再生装置を提供することができるようになる。
【００２５】
また他の手段は、液付着体に前記回転軸を貫通する貫通孔を備えたことを特徴とする請求項１〜９のいずれかに記載の廃液再生装置としたものである。
【００２６】
これにより、液付着体を容易に交換できるようになり、液付着体に付着した液をかきとる効率を維持できる廃液再生装置を提供することができるようになる。
【００２７】
また他の手段は、貫通孔が多角形を形成し、前記回転軸の切断面が前記貫通孔と相似形をしていることを特徴とする請求項１〜１０のいずれかに記載の廃液再生装置としたものである。
【００２８】
これにより、液付着体を効率よく回転させることができるようになり、かきとり効率の高い廃液再生装置を提供することができるようになる。
【００２９】
また他の手段は、かきとった液が流れる溝をかきとり部に備えたことを特徴とする請求項３〜１１のいずれかに記載の廃液再生装置としたものである。
【００３０】
これにより、かきとった液を効率よく排出することができるようになり、かきとり効率の高い廃液再生装置を提供することができるようになる。
【００３１】
また他の手段は、回転手段に変速手段を備えたことを特徴とする請求項１〜１２のいずれかに記載の廃液再生装置としたものである。
【００３２】
これにより、液付着体に付着する液の選択性を良くすることができるようになり、かきとり効率の高い廃液再生装置を提供することができるようになる。
【００３３】
また他の手段は、かきとった液を回収する回収タンクと、前記回収タンク内に濃度検知手段を備えた請求項１〜１３のいずれかに記載の廃液再生装置としたものである。
【００３４】
これにより、洗浄液を廃棄する時期が分かるようになり、効率よく洗浄液を再生することができる廃液再生装置を提供することができるようになる。
【００３５】
また他の手段は、貯留槽内にかきとった液に含まれる固形物を除去する固形物除去手段を備えたことを特徴とする請求項１〜１４のいずれかに記載の廃液再生装置としたものである。
【００３６】
これにより、かきとった液に含まれる固形物を除去することができるようになり、効率よく洗浄液を再生することができる廃液再生装置を提供することができるようになる。
【発明の効果】
【００３７】
本発明によれば、液付着体に付着した洗浄液を効率良くかきとることができるという効果のある廃液再生装置を提供することができる。
【００３８】
また、液付着体とかきとり部の密着性を常に良くすることができるようになり、かきとり効率が高くなるという効果のある廃液再生装置を提供することができる。
【００３９】
また、かきとった液を効率よく排出することができるようになり、かきとり効率が高くなる廃液再生装置を提供することができるようになる。
【００４０】
また、液付着体とかきとり部の密着性良くすることができるようになり、かきとり効率が高くなるという効果のある廃液再生装置を提供することができる。
【００４１】
また、付着した液が流れ落ちてしまいかきとることのできなかった液をかきとることができるようになり、かきとり効率が高くなるという効果のある廃液再生装置を提供することができる。
【００４２】
また、かきとり部が擦り減っても液付着体との密着性を維持することができるようになり、かきとり効率が高くなるという効果のある廃液再生装置を提供することができる。
【００４３】
また、層分離した液を効率良く液付着体に付着させることができるようになり、かきとり効率が高くなるという効果のある廃液再生装置を提供することができる。
【００４４】
また、液付着体に付着した液を効率よくかきとり部でかきとることができるようになり、かきとり効率が高くなるという効果のある廃液再生装置を提供することができる。
【００４５】
また、液付着体を容易に交換できるようになり、液付着体に付着した液をかきとる効率を維持できるという効果のある廃液再生装置を提供することができる。
【００４６】
また、液付着体を効率よく回転させることができるようになり、かきとり効率が高くなるという効果のある廃液再生装置を提供することができる。
【００４７】
また、かきとった液を効率よく排出することができるようになり、かきとり効率が高くなるという効果のある廃液再生装置を提供することができる。
【００４８】
また、液付着体に付着する液の選択性を良くすることができるようになり、かきとり効率が高くなるという効果のある廃液再生装置を提供することができる。
【００４９】
また、洗浄液を廃棄する時期が分かるようになり、効率よく洗浄液を再生することができるという効果のある廃液再生装置を提供することができる。
【００５０】
また、かきとった液に含まれる固形物を除去することができるようになり、効率よく洗浄液を再生することができるという効果のある廃液再生装置を提供することができる。
【発明を実施するための最良の形態】
【００５１】
本発明の請求項１記載の発明は、上記目的を達成するために層分離した廃液を付着させる複数の液付着体と、前記液付着体を回転させる回転軸と、前記回転軸を回転させる回転手段と、前記液付着体に付着した液体をかきとるかきとり部とを備えた廃液再生装置であって、前記かきとり部を前記液付着体の間に配置し、前記液付着体を前記かきとり部に密着させながらかきとるようにしたことを特徴とする廃液再生装置としたものであり、かきとり部を液付着体に密着させることによって、液付着体に付着した液をロス無くかきとることができるようになるという作用を有しており、効率良く付着液をかきとることができるという作用を有する廃液再生装置を提供することができる。
【００５２】
本発明の請求項２記載の発明は、液付着体を前記かきとり部に押圧する押圧手段を備えたことを特徴とする請求項１に記載の廃液再生装置としたものであり、押圧手段によってかきとり部を液付着体に押圧することによって、液付着体とかきとり部の密着性を常に良くすることができるという作用を有し、かきとり効率が高くなるという作用を有する廃液再生装置を提供することができる。
【００５３】
本発明の請求項３記載の発明は、かきとり部は、前記回転軸に近い一端を他端より高く配置したことを特徴とする請求項１または２に記載の廃液再生装置としたものであり、かきとり部によってかきとられた液が前記回転軸に近いところから他端へとスムーズに流れるようになるという作用を有しており、かきとった液を効率良く排出することができるようになるとゆう作用を有しており、かきとり効率が高くなるという作用のある廃液再生装置を提供することができる。
【００５４】
本発明の請求項４記載の発明は、かきとり部を前記液付着体に対して傾斜角度を持つように配置したことを特徴とする請求項１〜３のいずれかに記載の廃液再生装置としたものであり、かきとり部によってかきとられた液が液付着体からかきとり部の方向にスムーズに流れるようになるという作用を有しており、かきとった液を効率良く排出することができるようになるという作用を有しており、かきとり効率が高くなるという作用のある廃液再生装置を提供することができる。
【００５５】
本発明の請求項５記載の発明は、かきとり部に前記回転軸が貫通する軸孔を備えたことを特徴とする請求項１〜４のいずれかに記載の廃液再生装置としたものであり、かきとり部の一端が液付着体の中心部に対して常に同じ位置を取ることができるという作用を有しており、かきとり部が液付着体の摩擦によって移動することを防止することができるという作用を有しており、かきとり部が動いてしまうことによって液付着体との密着性が悪化することを防止することができるという作用を有しており、液付着体とかきとり部の密着性を良くすることができるという作用を有しており、かきとり効率が高くなるという作用のある廃液再生装置を提供することができる。
【００５６】
本発明の請求項６記載の発明は、軸孔上部に前記付着体から流れ落ちる液体を受け止める液受け部を備えたことを特徴とする請求項１〜５のいずれかに記載の廃液再生装置としたものであり、液付着体に付着した後に鉛直下方向に流れ落ちてしまうことによってかきとり部に到達することなく流れ落ちてしまう液を受け止めることができるという作用を有しており、流れ落ちるためにかきとられなかった液もかきとることができるという作用を有しており、かきとり効率が高くなるという作用のある廃液再生装置を提供することができる。
【００５７】
本発明の請求項７記載の発明は、液付着体に前記液受け部を陥入する陥入部を備えたことを特徴とする請求項１〜６のいずれかに記載の廃液再生装置としたものであり、液受け部が液付着体に陥入することができるという作用を有しており、かきとり部が液付着体との摩擦によって擦り減ってしまっても、液受け部が液付着体に擦り減った分だけ入り込むことによって、かきとり部と液付着体との密着性が維持されるという作用を有しており、かきとり部が磨耗してもかきとり効率を高く維持できるという作用のある廃液再生装置を提供することができる。
【００５８】
本発明の請求項８記載の発明は、液付着体がポリアミド系樹脂、ポリエチレンテレフタレート樹脂、ポリカーボネート樹脂のいずれかで構成されていることを特徴とする請求項１〜７のいずれかに記載の廃液再生装置としたものであり、液付着体が油成分よりも油と分離する成分と付着しやすくなるという作用を有しており、油成分よりも洗剤成分を効率良く付着することができるようになるという作用を有しており、液付着体に付着する液の成分から油成分を除外することができるという作用を有しており、油以外の洗剤成分を選択的にかきとることができるという作用を有しており、洗剤成分を効率よく再生することができるという作用のある廃液再生装置を提供することができる。
【００５９】
本発明の請求項９記載の発明は、かきとり部がポリカーボネート樹脂・ＡＢＳ樹脂・ポリプロピレン樹脂のいずれかで構成されていることを特徴とする請求項１〜８のいずれかに記載の廃液再生装置としたものであり、液付着体に付着した洗浄液成分を効率良くかきとることができるという作用を有しており、洗浄液成分を効率良く再生することのできるという作用のある廃液再生装置を提供することができる。
【００６０】
本発明の請求項１０記載の発明は、液付着体に前記回転軸を貫通する貫通孔を備えたことを特徴とする請求項１〜９のいずれかに記載の廃液再生装置としたものであり、回転軸に固定しなくても液付着体を設置することができるようになるという作用を有しており、簡単に液付着体を取り外すことができるという作用を有しており、液付着体表面の平滑度が悪くなった場合に簡単に液付着体を取り替えることができるという作用を有しており、液付着体表面の平滑度を維持することができるという作用を有しており、かきとり効率を維持できるという作用を有する廃液再生装置を提供することができる。
【００６１】
本発明の請求項１１記載の発明は、貫通孔が多角形を形成し、前記回転軸の切断面が前記貫通孔と相似形をしていることを特徴とする請求項１〜１０のいずれかに記載の廃液再生装置としたものであり、回転軸の回転エネルギーが液付着体に伝わりやすくなるという作用を有しており、液付着体を効率良く回転させることができるという作用を有しており、かきとり効率が高くなるという作用のある廃液再生装置を提供することができる。
【００６２】
本発明の請求項１２記載の発明は、かきとった液が流れる溝をかきとり部に備えたことを特徴とする請求項３〜１１のいずれかに記載の廃液再生装置としたものであり、かきとった液が重力によりかきとり部の溝に流れ込むという作用を有しており、かきとった液がスムーズにかきとり部を流れるという作用を有しており、かきとり効率が高くなるという作用のある廃液再生装置を提供することができる。
【００６３】
本発明の請求項１３記載の発明は、回転手段に変速手段を備えたことを特徴とする請求項１〜１２のいずれかに記載の廃液再生装置としたものであり、変速手段によって液付着体の回転速度を変えることができるという作用を有しており、廃液の粘性に応じて液付着体の回転速度を変えることができるという作用を有しており、粘性の低い廃液に対しては液付着体の回転速度を速くすることができるという作用を有し、粘性が低い廃液に対しても効率良く液付着体に付着させてかきとることができるという作用を有しており、廃液の粘性に応じて液付着体に付着する廃液の選択性を良くすることができるという作用を有しており、廃液の粘性に応じてかきとり効率を維持することができるという作用のある廃液再生装置を提供することができる。
【００６４】
本発明の請求項１４記載の発明は、かきとった液を回収する回収タンクと、前記回収タンク内に濃度検知手段を備えた請求項１〜１３のいずれかに記載の廃液再生装置としたものであり、かきとった液を貯留することができるという作用を有し、かきとった液の洗剤濃度を検知することができるという作用を有し、再生した洗剤中の洗剤濃度を検知することによって再生した洗剤を再度洗浄に用いることができるかどうか判断することができるようになるという作用を有し、再生した洗剤を廃棄するかどうかを判断できるようになるという作用を有し、洗浄性の劣化した洗剤を繰り返し洗浄に使用して繰り返し再生してしまうことを防止することができるようになるという作用を有しており、効率良く洗剤再生を行うことができるという作用のある廃液再生装置を提供することができる。
【００６５】
本発明の請求項１５記載の発明は、貯留槽内にかきとった液に含まれる固形物を除去する固形物除去手段を備えたことを特徴とする請求項１〜１４のいずれかに記載の廃液再生装置としたものであり、かきとった液に含まれる固形物を除去することができるようになるという作用を有し、再生した洗剤に含まれる固形物を除去することによって再生洗剤の洗浄性を高めることができるという作用を有し、効率良く洗剤を再生することができるという作用のある廃液再生装置を提供することができるという作用を有する。
【００６６】
（実施の形態１）
図１は本発明の実施の形態１における廃液再生装置１の構成図であり、図１（Ａ）は上面図を、図１（Ｂ）は側面図をそれぞれ示している。
【００６７】
図１（Ａ）において、廃液再生装置１は廃液２を貯留する貯留槽３に液付着体４とかきとり部５と押圧手段６と回転軸７と回転手段８と回収タンク９から構成されている。
【００６８】
図１（Ｂ）が示すように、液付着体４は円盤形状をしており、廃液２の水面に対して垂直方向に浸漬するように配置されており、液付着体４の中心に回転軸７が貫通しており、回転軸７は回転手段８に接続されている。回転軸７は貯留槽３の外枠に貫通されており、回転自由に支持されている。
【００６９】
かきとり部５は板状の形状をしており、一端にかきとり部５の板面に対して水平方向に回転軸７を貫通させ設置されている。また、かきとり部５は液付着体４の間に配置されており、かきとり部５の端が液付着体４に密着するように配置されている。
【００７０】
押圧手段６はかきとり部５を液付着体４で挟み込むように液付着体４の外側の回転軸７に配置されており、貯留槽３の外枠から液付着体４方向に押圧している。
【００７１】
かきとり部５は回収タンク９に接続支持されており、回転軸７を貫通している一端に対して回収タンク９に接続されている一端が低くなるように配置されている。
【００７２】
上記構成において、回転手段８としてのモーターを回転させることによって例えばステンレスの回転軸７を介して液付着体４にトルクが伝わり、液付着体４が鉛直方向に回転される。回転軸７は例えばステンレスなどの棒を用いることができ、液付着体４としては、例えばステンレスやアルミなどの金属や樹脂素材をポリアミド系やポリエチレンテレフタレートなどの樹脂を用いることできる。
【００７３】
廃液２は貯留槽３内で層分離し、比重の軽い例えば油などが上澄み液１０として貯留槽３内で上層を形成している。貯留槽３は例えばステンレスのドレインパンを用いることができ、回収タンク９としては例えばステンレスの容器を用いることができる。液付着体４を回転させることによって廃液２が液付着体４に付着し水面１１から引き上げられ、液付着体４に密着しているかきとり部５によってかきとられ、かきとり部５の上から回収タンク９へと流出され回収液１２として回収される。
【００７４】
例えば、廃液２として水と鉱物油が混合したものであれば、上澄み液１０として鉱物油が分離浮上する。このとき、液付着体４として親油性のフッ素樹脂などを用いることによって、上澄み液１０となっている鉱物油を選択的に付着させることができ、浮上した鉱物油のみを回収タンク９に回収液１２として回収することができる。
【００７５】
また、廃液２として洗剤と混合した鉱物油の場合、上澄み液１０として鉱物油が分離浮上するが、液付着体４としてポリアミド系樹脂を用いることによって下層の洗剤を選択的に付着させることができ、浮上した鉱物油を排除して下層の洗剤のみを回収液１２として回収タンク９に回収することができる。
【００７６】
なお廃液２を水と鉱物油の混合物もしくは洗剤と鉱物油としたが、比重差によって層分離可能な２液以上の混合物であれば、液付着体４への付着しやすさの違いを利用して、一種類の液のみを液付着体４に付着させ単一成分を分別することができ、植物油なども分別回収することができる。
【００７７】
切削工場などで用いられた洗浄廃液中には羽虫や粉塵など大きな浮遊固形物も大量に含まれ、使用済みの洗浄液を再生する際には、これら大きなゴミを取り除くために濾過フィルターを使用する必要があったが、洗浄液を液付着体４に付着させる場合、大きなゴミは重力で落下して水面１１から引き上げられることなく廃液２に落下するので、濾過フィルターを用いることなく洗浄液のみを回収することができるようになる。
【００７８】
かきとり部５は例えばステンレスなどの金属やＡＳＢなどの樹脂を用いることができるが、液付着体４を連続的にかきとる動作によって擦り減り、形状が可塑的に変化する。かきとり部を固定していた場合、擦り減った分だけ液付着体４との間に隙間が生じ、液付着体４に付着した液をかきとる量が減り、液付着体４の回転数に対する回収タンク９への回収量が減ることとなり、回収効率が悪化する。
【００７９】
押圧手段６として例えばスプリングを回転軸に配置し、貯留槽３の外枠より内側へ液付着体４を押圧することによって、かきとり部５が擦り減っても液付着体４とかきとり部５との密着性が維持されることとなり、液付着体４に付着した液をかきとる量が減ることが無くなり、回収タンク９への回収効率が悪化することを防止することができる。
【００８０】
（実施の形態２）
図２は本発明の実施の形態２における液付着体４とかきとり部５と回転軸７を示した構成図であり、図２（Ａ）は構成図、図２（Ｂ）は横面図、図２（Ｃ）は正面図を示している。実施の形態１と同一部分は同一符号を附し詳細な説明は省く。
【００８１】
図２（Ａ）において液付着体４には回転軸７を挿入する回転軸貫通孔１３と円形に陥没した陥入部１４が回転軸貫通孔１３の中心を同じ中心にして配置されている。かきとり部５の一端には回転軸７を通す軸孔１５が設けられており、軸孔１５の円周上に円筒形の液受け部１６が設けられており。回転軸７は断面形状が正四角形形状をしており、回転軸貫通孔１３と相似形をしている。軸孔１５の断面形状は回転軸７の断面形状の対角線よりも長い直径を持った円形をしており、回転軸７が軸孔１５内を自由に回転できるように配置されている。
【００８２】
図２（Ｂ）のように、液付着体４と軸孔１５と回転軸７は同心円状に配置されており、回転軸７のトルクが液付着体４に伝わり、回転軸７を回転させることによって液付着体４を鉛直方向に回転させることができる。また、回転軸７のトルクは軸孔１５には伝わらないため、軸孔１５は回転軸７に支持され液付着体４の回転軸貫通孔１３の中心からずれることが無く安定に支持されている。
【００８３】
図２（Ｃ）のように、液受け部１６は液付着体４の陥入部１４に嵌め込まれており、かきとり部５が液付着体４に密着している。円筒形の液受け部１６は陥入部１４の最深部１７との間に隙間が空くように配置されており、かきとり部５が磨耗により擦り減ってしまった場合、最深部１７との隙間を利用して陥入部１４の奥にずれ込むことができ、かきとり部５の液付着体４との密着性を維持できるようになっている。
【００８４】
上記構成において、液付着体４に付着して引き上げられた液が重力によって流れ落ちる際に、液付着体４の軸孔１５付近に流れ落ちてきた液を液受け部１６で受け止めることができ、かきとり部５に受けることができるようになる。廃液として例えば粘性の低い洗剤を用いた場合、液付着体４に付着して引き上げられた後に、かきとり部５に到達する前に下に落下してしまう液の量が増え、その結果、かきとり部５でかきとれる量が減少してしまうが、液付着体４の円盤中心部を流れ落ちる液を液受け部１３で受け止めることができるため、流れ落ちてロスしていた液を減らすことができ、液付着体４の回転数に対する回収タンク９への回収量が減少せずに、回収効率が良くなる。
【００８５】
なお本実施の形態では回転軸７の断面形状と回転軸貫通孔１３は正四角形としたが、他の多角形の形状をしていても、同様にトルクを伝えることができるため利用することができる。また、液受け部１６の形状も円筒形としたが、軸孔１５の外周部にあって、液付着体４の陥入部１４に嵌め込める形状であれば同様に液体を受け止めることができる。
【００８６】
（実施の形態３）
図３は本発明の実施の形態３における液付着体４とかきとり部５と回転軸７を示した構成図であり、図３（Ａ）は構成図、図３（Ｂ）は正面図、図３（Ｃ）は断面図を示している。実施の形態２と同一部分は同一符号を附し詳細な説明は省く。
【００８７】
図２（Ａ）において、かきとり部５には溝１８が形成されており、かきとり部５の液付着体４に密着している端部１９に対して溝１８が低くなっている。
【００８８】
図２（Ｂ）のように、液受け部１６は液付着体４の陥入部１４に嵌め込まれており、かきとり部５が液付着体４に密着している。
【００８９】
図２（Ｃ）のように、かきとり部５は液付着体４に対して傾斜角２０を持つように配置されている。傾斜角２０は次式で表される。０℃＜傾斜角＜９０℃。
【００９０】
上記構成において、かきとり部５によってかきとられた液が、液付着体４と密着している端部１９から溝１８に向かって流れこみ、両方の端部１９より合流し大きな液塊となる。より大きな液塊となることによって小さな液塊のときよりも流動性が増す。流動性が増すことによって、かきとられた液がかきとり部５から回収タンク９へスムーズに流れるようになり、かきとり部５の上で液が停滞するのを防止できる。このようにかきとった液がスムーズに回収タンク９に流れることとなり、かきとり部５の上からかきとった液が溢れ回収タンクとは反対側へ流れ落ちてしまうことを防止することができる。かきとった液の漏れを防止することができるようになるので、かきとった液を回収する回収効率が改善する。
【００９１】
なお本実施の形態ではかきとり部５を板状の形状とし溝１８を形成したが、円弧形状にすることによっても両方の液付着体４をかきとった液を合流させスムーズに回収タンク９に排出することができる。
【００９２】
（実施の形態４）
図４は本発明の実施の形態４における廃液再生装置１の構成図であり、図５は本発明の実施の形態４における廃液再生装置１の動作方法を示すフロー図であり、図６は本発明の実施の形態４における廃液再生装置１を用いたときの廃液の回収効率を示す図である。図４において実施の形態１と同一部分は同一符号を附し詳細な説明は省く。
【００９３】
図４において、貯留槽３には液量検知手段２１と廃液評価手段２２が廃液２に浸漬するように配置されており、回収タンク９には濃度検知手段２３が回収液１２に浸漬するように配置されている。回収タンク９には固形物除去手段２４が配置されており、回収タンク９には貯留槽３の外に連通した排出管２５が設置されており、排出管２５には開閉手段２６が設置されている。
【００９４】
また、回転手段８と液量検知手段２１と廃液評価手段２２と濃度検知手段２３と開閉手段２６はそれぞれ変速手段２７に配線されており、変速手段２７は貯留槽３外部に設置されている。
【００９５】
液量検知手段２１としては例えば静電容量の変化を利用して液量を検出する静電容量センサを用いることができる。また、廃液評価手段２２としては例えば廃液２の粘性を検出する粘度センサを用いることができる。また、濃度検知手段２３としては例えば糖度計などの吸光度を利用した検知手段を用いることができる。また、固形物除去手段２４としては例えば金属のフィルターを用いることができる。また、変速手段２７としては例えば制御プログラムを組み込んだマイコンを用いることができる。
【００９６】
上記構成において、貯留槽３内に貯留された廃液２の液量を液量検知手段２１が検出し、液量が液付着体４を浸漬する状態になった場合に回転手段８を回転させ、廃液２が蓄積した場合のみ廃液再生装置１を駆動させる。このようにして貯留槽３に貯留された廃液２の量に応じて廃液再生装置１を駆動させることができるようになる。
【００９７】
また、廃液評価手段２２として粘度センサを用いた場合、廃液２の粘性を評価し、廃液２の粘性が低い場合は回転手段８を高速で回転させ、粘性が高い場合は回転手段８を低速で回転させるようにコントロールする。このようにして廃液２の粘性に応じて液付着体４の回転速度をコントロールすることができるようになる。
【００９８】
また、固形物除去手段２４はかきとり部５から回収タンク９に流入する回収液が通過するように配置されており、回収液１２が固形物除去手段２４を通過する際に固形物２８が補足され、回収タンク９に固形物２８が混入するのを防止することができるようになる。固形物とは、例えば金属粒子や塵埃などの廃液２に浮遊するゴミのことである。
【００９９】
回収タンク９に回収された回収液１２は洗浄液として再利用することができ、回収タンク９から直接取り出して洗剤として再利用することができる。
【０１００】
また、濃度検知手段２３として糖度計を用いることによって、回収液１２の洗剤濃度を検知することができるようになり、洗剤濃度によって回収液１２を再利用することができるかどうか判断することができる。
【０１０１】
例えば、廃液２として洗剤と油の混合物の場合、油成分と洗剤成分に層分離しても上層の油に界面活性剤が巻き込まれてしまうため、回収タンク９内に回収された洗剤の界面活性剤濃度は低下してしまう。洗剤中の界面活性剤濃度が多少低下しても洗剤として利用することはできるが、著しく低下した場合は洗浄性が失われ洗剤として再利用することができなくなる。再生した洗剤に含まれる界面活性剤の濃度がわからなければ洗浄性が損なわれた洗剤を繰り返し使用してしまい、洗浄性が損なわれているために大量に使用しなければならなくなり、何度も繰り返して洗浄性が損なわれた洗剤を大量に再生する羽目に陥ってしまう。
【０１０２】
そこで予め洗剤として利用できる洗剤濃度を明らかにしておき、回収液１２の洗剤濃度を濃度検知手段２３によって検知し、回収液１２が洗剤として再利用することができるかどうか判断する。
【０１０３】
洗剤として再利用できないと判断された場合は、開閉手段２６を開口することによって排出管２５から貯留槽３の外に排出することができるようになり、洗浄性が失われた洗剤を繰り返し大量に再利用しなくても済むようになる。
【０１０４】
次に図５を用いて廃液再生装置の制御フローを説明する。
【０１０５】
液量検知手段２１を用いて液量検知し（Ｓ１）、液付着体４が浸漬される最低液量以下の場合は回転手段８を駆動させずに再度液量検知する。最低液量以上の場合は、次に廃液評価手段２２を用いて粘度検知し（Ｓ２）、高粘度の場合は回転手段８を低出力で駆動させ、液付着体４の低速回転を開始する（Ｓ３）。低粘度の場合は回転手段８を高出力で駆動させ、液付着体４の高速回転を開始する（Ｓ４）。
【０１０６】
次に液量検知手段２１を用いて液量検知し（Ｓ５）、最低液量以上であれば回転手段８を連続して駆動させ、最低液量以下であれば回転手段８を停止させて液付着体４の回転を停止する（Ｓ６）。次に濃度検知手段２３を用いて回収液１２の洗剤濃度を検知し（Ｓ７）、洗剤として再利用可能な有効濃度以下であれば開閉手段２６を開口させ（Ｓ８）、排出管２５から再利用できなくなった回収液１２を排出する。例えば、排出管２５を排水処理設備などの処理設備に連通させておくことで処理しやすくなる。
【０１０７】
次に図６を用いて本発明の廃液再生装置１を利用した際の回収効率を示す。
【０１０８】
図６は本発明の廃液再生装置１を用いて洗剤と鉱物油の混合液の再生処理を行い、回収した回収液１２に含まれる洗剤の含有率を回収効率として評価した結果を示している。洗剤は、アルパスＰ３（ヘルケンジャパン社製）を鉱物油としてはピュアスピンＤ（コスモ石油社製）を用いている。図６（Ａ）はかきとり部５の素材としてアクリル樹脂を用い、種々の液付着体４の素材を用いた場合の回収効率を示している。ポリアミド系、ポリカーボネート、アクリル、ポリエチレンテレフタレートを液付着体４として用いた場合に回収効率が９５％以上となり、ほとんど鉱物油を含まない洗剤が回収タンク９に回収された。
【０１０９】
反対に、フッ素樹脂、ポリプロピレン、ＡＢＳを液付着体４の素材として用いた場合に回収率は５０％以下となり、大部分が鉱物油の回収液１２が回収される結果となった。
【０１１０】
したがって、液付着体４としてポリアミド系、ポリカーボネート、アクリル、ポリエチレンテレフタレートを用いた場合に、洗剤と油の混合物から純度良く洗剤を再生することができることがわかった。
【０１１１】
図６（Ｂ）は液付着体４の素材としてＡＢＳを用い、種々のかきとり部５の素材を用いた場合の回収率を示している。ＡＢＳをかきとり部５として用いた場合に回収効率が９５％以上となり、ほとんど鉱物油を含まない洗剤が回収タンク９に回収された。
【０１１２】
反対に、フッ素樹脂、ポリアミド系、アクリル、ポリエチレンテレフタレートをかきとり部５として用いた場合に回収率は５０％以下となり、鉱物油が半分以上混入した回収液１２が回収される結果となった。
【０１１３】
したがって、かきとり部５としてＡＢＳを用いた場合に、洗剤と油の混合物から純度良く洗剤を再生することができることがわかった。
【産業上の利用可能性】
【０１１４】
本発明の廃液再生装置を用いることによって例えば鉱物油が付着した被洗浄物を洗浄する際に発生する廃液を、効率良く鉱物油と洗剤に分別し再生することができ、再生した洗剤を再利用することができるようになり、洗浄排水の量を減らすことができるようになり、廃液の処理コストを低減することができるようになる。また、繰り返し再生した洗剤を洗浄に再利用できるかどうか判断することができるようになり、洗剤の廃棄時期を特定し再生処理を合理化し再生コストを改善させることに利用される。また、本発明の廃液再生装置は洗浄機能が搭載された電器製品や設備機器や空調機器などに搭載することによって、洗浄によって発生する廃液の量を削減することにも利用できる。
【図面の簡単な説明】
【０１１５】
【図１】本発明の実施の形態１に記載の廃液再生装置の構成図
【図２】本発明の実施の形態２に記載の液付着体４とかきとり部５と回転軸７を示した構成図
【図３】本発明の実施の形態３に記載の液付着体４とかきとり部５と回転軸７を示した構成図
【図４】本発明の実施の形態４に記載の廃液再生装置の構成図
【図５】本発明の実施の形態５に記載の回転速度制御方法を示す図
【図６】本発明の実施の形態６に記載の回収効率を示す図
【図７】従来のオイルスキマーの構成図
【符号の説明】
【０１１６】
１      廃液再生装置
２      廃液
３      貯留槽
４      液付着体
５      かきとり部
６      押圧手段
７      回転軸
８      回転手段
９      回収タンク
１０    上澄み液
１１    水面
１２    回収液
１３    回転軸貫通孔
１４    陥入部
１５    軸孔
１６    液受け部
１７    最深部
１８    溝
１９    端部
２０    傾斜角
２１    液量検知手段
２２    廃液評価手段
２３    濃度検知手段
２４    固形物除去手段
２５    排出管
２６    開閉手段
２７    変速手段
２８    固形物
１０１  オイルスキマー
１０２  洗浄廃液
１０３  貯留槽
１０４  油層
１０５  回転盤
１０６  回転軸
１０７  回転モーター
１０８  スクレーパー
１０９  油回収ボックス
【図１】
2009219973.tif 000003
【図２】
2009219973.tif 000004
【図３】
2009219973.tif 000005
【図４】
2009219973.tif 000006
【図５】
2009219973.tif 000007
【図６】
2009219973.tif 000008
【図７】
2009219973.tif 000009